(57)【要約】【課題】袋の詰め替えを容易に行うことができる袋内包容器用の袋を提供する。【解決手段】容器本体１の開口部に嵌め込まれる際に、開閉蓋付き蓋体２によって開封口の縁が上記容器本体の内面へと押しやられて上記容器本体に挿入される、内容物Ａが入れられた袋３において、上記袋にはその開封口を上記容器本体の開口部に合致するように拡開状態で保持する弾性体１３が取り付けられる。柔軟な袋の開封口は弾性体によって腰を与えられ、袋が容器本体内に挿入されると、袋の開封口の縁は容器本体の開口部内で開口状態を保持する。そこで、開閉蓋付き蓋体を容器本体の開口部にあてがうと、その押圧部は容易に開封口から袋内に侵入し、袋の開封口の全周縁は容器本体の開口部の内面へと押しやられたうえで嵌合が終了する。【選択図】図４
2011105355.tif 000002
【特許請求の範囲】
【請求項１】
容器本体の開口部に嵌め込まれる際に、開閉蓋付き蓋体によって開封口の縁が上記容器本体の内面へと押しやられて上記容器本体に挿入される、内容物が入れられた袋において、
上記袋にはその開封口を上記容器本体の開口部に合致するように拡開状態で保持する弾性体が取り付けられたことを特徴とする袋内包容器用の袋。
【請求項２】
請求項１に記載の袋内包容器用の袋において、上記弾性体が帯状に形成され、この帯状弾性体が上記開封口に沿うように表面に貼着されたことを特徴とする袋内包容器用の袋。
【請求項３】
請求項１に記載の袋内包容器用の袋において、上記袋が、底部が拡開可能な自立性袋であることを特徴とする袋内包容器用の袋。
【発明の詳細な説明】
【技術分野】
【０００１】
本発明は、粉状、顆粒状、粒状などの内容物を入れた袋を開封して袋ごと容器本体内に収納し、容器本体を開閉蓋付き蓋体で覆う際に、袋の開封口の周縁を容器本体と蓋体とで簡易に挟み込むことができるようにした袋内包容器用の袋に関する。
【背景技術】
【０００２】
従来、粉状、顆粒状、粒状などの内容物は缶に充填され密封された包装体として流通市場に供給されている。缶には開閉蓋付き蓋体が付属しており、缶を開封した後にこの開閉蓋付き蓋体を缶に被せ、開閉蓋を開閉すれば、缶内の粉状、顆粒状、粒状などの内容物を小出しに取り出すことが可能である（例えば、特許文献１参照）。
【０００３】
また、内容物としてふりかけ等を収納する容器には、ふりかけ等を収納した袋を開封した後に袋ごと容器本体内に収納し、容器本体の開口部を開閉蓋付き蓋体で覆うようにしたものがある。この容器は、開閉蓋付き蓋体と容器本体との嵌合部に袋の開封口の縁を挟み込むことで、容器から中身を振り出す際に、容器本体内への中味の落下を防止するようになっている（例えば、特許文献２参照。）。
【先行技術文献】
【特許文献】
【０００４】
【特許文献１】特許第４２１９２０５号公報
【特許文献２】実用新案登録第２５５４８２２号公報
【発明の概要】
【発明が解決しようとする課題】
【０００５】
上記従来技術のうち前者は使い捨ての包装体であるから、中味を消費した後の缶の処分が面倒であるという問題がある。
【０００６】
後者の包装体は金属以外のプラスチック、紙等で作ることができるので、中味を消費した後の容器本体、袋等の処分は容易である。また、空の袋を中味の入った新しいものと交換することで容器本体、開閉蓋付き蓋体は再使用することができる。
【０００７】
しかし、後者の包装体は、柔らかい袋の開封口の全周縁を指で拡げてその拡げた状態を保持しながら、容器本体側の開口縁を袋の開封口の全周縁と共に開閉蓋付き蓋体側の環状溝内に押し込まなければならず、そのため袋を容器本体内に装着したり、袋を新しいものと交換したりする際の操作が極めて面倒である。また、袋を容器本体内に装着する際に、袋開封口の周縁の一部が容器本体の内側に取り残されたりすることがあり、その場合は取り残された箇所から中味が袋と容器本体との間に入り込むという不具合が生じる。さらに、袋を容器本体内に装着する際に、指で袋の開封口を支える必要があり、その指が袋内に侵入して中身の内容物に接触するので不衛生であるという問題がある。
【０００８】
したがって、本発明は、上記問題点を解決することができる袋内包容器用の袋を提供することを目的とする。
【課題を解決するための手段】
【０００９】
上記課題を解決するため、本発明は次のような構成を採用する。
【００１０】
なお、本発明の理解を容易にするため図面の参照符号を付するが、本発明はこれに限定されるものでない。
【００１１】
すなわち、請求項１に係る発明は、容器本体（１）の開口部に嵌め込まれる際に、開閉蓋付き蓋体（２）によって開封口の縁が上記容器本体（１）の内面へと押しやられて上記容器本体（１）に挿入される、内容物（Ａ）が入れられた袋（３）において、上記袋（３）にはその開封口を上記容器本体（１）の開口部に合致するように拡開状態で保持する弾性体（１３）が取り付けられた袋内包容器用の袋（３）を採用する。
【００１２】
上記袋（３）に充填される内容物（Ａ）には、任意の粉状、顆粒状、粒状の物質が含まれる。一例として、コーヒーあるいは砂糖などの調味料が含まれる。また、食品用粉体としての小麦粉、ベーキングパウダー、酵母、シュガーパウダー、塩、胡椒などが含まれる。さらに、食品用粉体以外の洗濯用の洗剤、フェースパウダーなどが含まれてもよい。
【００１３】
請求項２に記載されるように、請求項１に記載の袋内包容器用の袋（３）において、上記弾性体（１３）が帯状に形成され、この帯状弾性体（１３）が上記開封口に沿うように袋（３）の表面に貼着されたものとすることができる。
【００１４】
請求項３に記載されるように、請求項１に記載の袋内包容器用の袋（３）において、上記袋（３）は、底部が拡開可能な自立性袋とすることができる。
【発明の効果】
【００１５】
本発明によれば、容器本体（１）の開口部に嵌め込まれる際に、開閉蓋付き蓋体（２）によって開封口の縁が上記容器本体（１）の内面へと押しやられて上記容器本体（１）に挿入される、内容物（Ａ）が入れられた袋（３）において、上記袋（３）にはその開封口を上記容器本体（１）の開口部に合致するように拡開状態で保持する弾性体（１３）が取り付けられた袋（３）であることから、柔軟な袋（３）の開封口は弾性体によって腰を与えられることとなり、袋（３）が容器本体（１）内に挿入されると、袋（３）の開封口の縁は容器本体（１）の開口部内で開口状態を保持する。そこで、開閉蓋付き蓋体（２）を容器本体（１）の開口部にあてがうと、その押圧部（９）は容易に開封口から袋（３）内に侵入し、この押圧部（９）によって袋（３）の開封口の全周縁が容器本体（１）の開口部の内面へと押しやられたうえで嵌合が終了する。従って、袋（３）の開封口はその全周縁が簡易かつ迅速に容器本体（１）の開口部の内面に接することとなり、新しい袋（３）を開封して容器本体（１）内に装着したり、中味が消費された袋（３）を新しいものと交換したりする際の操作を極めて簡易に行うことができる。
【００１６】
また、開閉蓋付き蓋体（２）を容器本体（１）の開口部に装着する際に、袋（３）の開封口を指等で拡げておく必要がないので、指等が袋（３）内に入らないようにすることができ、従って、すこぶる衛生的に袋（３）を容器本体（１）内に装填することができる。また、袋（３）の開封口をその全周縁にわたって正確に容器本体（１）の開口部の内面に接触させることができるので、袋内の粉状、顆粒状、粒状などの内容物（Ａ）が容器本体（１）と袋（３）との間に漏れ出るという不具合を防止することができる。
【図面の簡単な説明】
【００１７】
【図１】袋内包容器の斜視図である。
【図２】袋内包容器の分解斜視図である。
【図３】袋内包容器の垂直断面図である。
【図４】未開封の本発明に係る袋の斜視図である。
【図５】組立途中の本発明に係る袋の斜視図である。
【図６】開閉蓋付き蓋体の押圧部を容器本体に挿入する前における部分垂直断面図である。
【図７】開閉蓋付き蓋体と容器本体との嵌合直前における部分垂直断面図である。
【図８】袋内包容器から中味を取り出す状態を示す部分垂直断面図である。
【図９】袋内包容器の他の態様を示す斜視図である。
【図１０】図９に示す袋内包容器の分解斜視図である。
【図１１】図９に示す袋内包容器で用いる本発明に係る袋の未開封時の斜視図である。
【発明を実施するための形態】
【００１８】
以下、本発明の望ましい形態について図面に基づいて説明する。
【００１９】
＜実施の形態１＞
図１に示すように、この袋内包容器は、容器本体１と、容器本体１の上部に取り付けられる開閉蓋２ａの付いた蓋体２とを具備し、図２及び図３に示すように、袋内包容器内には、粉状、顆粒状、粒状などの内容物の一例としてのコーヒーあるいは砂糖などの調味料Ａが入れられた袋３が開封状態で挿入される。
【００２０】
容器本体１は、テーパ付き筒状胴部１ａを有する。しかし、容器本体１は、テーパ無しであってもよい。この胴部１ａの上端が円形又は楕円形の開口部とされ、下端は円板形又は楕円形の底板１ｂで閉じられる。
【００２１】
容器本体１の開口部のテーパ付き内面は平滑面とされる。また、この開口部の外面には、開閉蓋付き蓋体２の下端が当接しうるリム４と、開閉蓋付き蓋体２の内向き嵌合突起５が引っ掛かる外向き嵌合突起６とが形成される。
【００２２】
この容器本体１は、ポリプロピレン、ポリエチレン、ＡＢＳ樹脂、ポリスチレン、ポリカーボネート、ポリエチレンテレフタレート等によって一体成形され、あるいは紙シートの折り曲げ加工等によって成形され、あるいは紙と上記樹脂との複合体として成形され、あるいはフランジカールのついた紙コップでもよい。
【００２３】
開閉蓋付き蓋体２は、容器本体１の開口部の外面を覆う外周壁７と、この外周壁７の上端から起立する円筒壁８と、この円筒壁８に係脱自在に被さる開閉蓋２ａと、容器本体１の開口部の内方へと挿入される押圧部９とを具備する。
【００２４】
外周壁７は容器本体１の開口部近傍の外周面に合致しうる筒体であり、その内面には上記内向き嵌合突起５が形成される。
【００２５】
円筒壁８はこの袋内包容器の内容物取出口を形成するものであり、その外周面には開閉蓋２ａに形成された内向き嵌合突起１０が引っ掛かる外向き嵌合突起１１が形成される。
【００２６】
開閉蓋２ａは、上記円筒壁８の開口を開閉自在に覆うものであって、その内周面に上記内向き嵌合突起１０が設けられる。この開閉蓋２ａは蓋体２から切り離して別体としてもよいが、望ましくはヒンジ１２によって蓋体２に連結される。
【００２７】
押圧部９は、この開閉蓋付き蓋体２を容器本体１の開口部に嵌め込む際に、袋３の開封口の縁を容器本体１の開口部の内面へと押しやって押し付けるためのもので、容器本体１内に挿入可能に下方に向かって窄む筒体として形成される。より具体的には、押圧部９は上記円筒壁８の下端あたりから下方へと椀形に延び、その外面には凸状湾曲面９ａが形成される。凸状湾曲面９ａの上側は、上記外周壁７との間に上記容器本体１の開口部の上記凸部６が設けられた周壁が入り込む環状溝が介在するように形成される。凸状湾曲面９ａの下側は、容器本体１のテーパ付き内周面との間で袋３の開封口の縁又はこの縁及び後述する弾性体１３を挟み込み得るように形成される。
【００２８】
押圧部９の底には、袋３内の内容物であるコーヒーあるいは砂糖などの調味料Ａを取り出すための開口が形成され、必要に応じて開口を横断するように摺り切り１４が梁状に設けられる。
【００２９】
また、押圧部９の空洞内には、スプーン１５が取り外し可能に固定される。スプーン１５を押圧部９内に固定するための固定手段は、図示しないが押圧部９に爪片等として設けられる。このスプーン１５で掬ったコーヒーあるいは砂糖などの調味料Ａを上記摺り切り１４で掻き落とすことにより、使用する量を計量することができる。
【００３０】
この開閉蓋付き蓋体２は、上記樹脂を射出成形することによって一体的に形成される。上記ヒンジ１２もこの開閉蓋付き蓋体２の射出成形の際にインテグラルヒンジとして形成可能である。上記スプーン１５も同様に成形し、使用時に切り離すようにすることも可能である。
【００３１】
袋３は、図４に示すように、底部が拡開可能な自立性袋として構成される。
【００３２】
この自立性袋３は次のようにして作成される。
【００３３】
図５に示すように、樹脂フィルム製の前後シート部１６，１７が重ねられ、前後シート部１６，１７間にそれらの底辺ａに沿うように樹脂フィルム製のガセットシート部１８が二つ折り状態で挿入され、この前後シート部１６，１７の少なくとも底辺ａ及びこの底辺ａを挟む左右両側辺ｂ，ｃにおける前シート部１６とガセットシート部１８との間、後シート部１７とガセットシート部１８との間及び前シート部１６と後シート部１７との間が図４に示すように夫々ヒートシール部１９，２０，２１，２２，２３で接着される。
【００３４】
樹脂フィルムは、例えば積層フィルムであり、図示しないが外側に非ヒートシール材層が配置され、内側にヒートシール材層が配置され、中間にガスバリア材層が配置される。
【００３５】
前後シート部１６，１７は上記樹脂フィルムを打ち抜いたり断裁したりすることにより例えば同形同大の略長方形に形成される。前後シート部１６，１７はヒートシール材層を内側にして重ね合わされる。ガセットシート部１８は上記樹脂フィルムを打ち抜いたり断裁したりすることにより略長方形に形成される。ガセットシート部１８は非ヒートシール材層を内側にして二つ折りされ、折れ線１８ａを先にして前後シート部１６，１７間にそれらの一辺に沿うように挿入される。このガセットシート部１８の挿入により、前シート部１６とガセットシート部１８とが重なった箇所が前ガセット部とされ、後シート部１７とガセットシート部１８とが重なった箇所が後ガセット部とされる。
【００３６】
ヒートシール部１９，２０，２１，２２，２３は、ガセットシート部１８を挟み込んだ状態の前後シート部１６，１７を図示しない加熱盤で熱プレスすることにより形成される。
【００３７】
ヒートシール部２２，２３は、袋の左右両側辺ｂ，ｃの前後ガセット部以外の箇所に形成される。このヒートシール部２２，２３によって、袋３の左右が閉じられる。
【００３８】
ヒートシール部１９，２０，２１は、袋３の底辺ａと、袋３の左右両側辺ｂ，ｃの前後ガセット部に対応する箇所とに形成される。また、前後ガセット部の左右のヒートシール部２０，２１に対応してガセットシート部１８の左右には切欠部２４が形成され、この切欠部２４を通して前シート部１６と後シート部１７との対向する部分がヒートシールされる。これにより、袋３の底にガセットシート部１８でマチが形成され、図４に示すように、このマチを拡開して底にすることで袋３を自立させることができる。
【００３９】
なお、ガセットシート部１８は前後シート部１６，１７と底辺ａの折れ線を介して一体化されているが、それぞれ別体として形成した後に前後シート部１６，１７間にガセットシート部１８を折り曲げて挿入するようにしてもよい。
【００４０】
図４に示すように、前後シート部１６，１７間には、その天辺ｄに沿うように、この袋３の開封口となる箇所を閉じるヒートシール部２５が形成される。この天辺ｄのヒートシール部２５は、他のヒートシール部１９，２０，２１，２２，２３が形成され、内容物であるコーヒーあるいは砂糖などの調味料Ａが天辺ｄから袋３内に充填された後に形成される。これにより、コーヒーあるいは砂糖などの調味料Ａが袋３内に密封され、外界から遮断される。
【００４１】
また、この袋３には、易開封手段として、上記天辺ｄのヒートシール部２５の近傍において左右のヒートシール部２２，２３に切欠２６が形成される。前後シート部１６，１７の天辺ｄの左右端いずれかを摘んで他端へと引っ張ると、ヒートシール部２５が前後シート部１６，１７の例えば延伸方向に沿って破断し、袋３が開封される。ヒートシール部２５が除去されることにより、袋３の天辺ｄに開封口が形成される。
【００４２】
なお、切欠２６は、図５に示したヒートシール前の段階で形成してもよいし、左右のヒートシール部２２，２３を形成した後に形成するようにしてもよい。
【００４３】
図４及び図５に示すように、袋３には、上記容器本体１の開口部に合致するように袋３の開封口を拡開状態で保持するための弾性体１３が取り付けられる。
【００４４】
弾性体１３は、例えば樹脂、金属、紙或いはこれらの複合体を用いて帯状に形成される。あるいは、線状に形成される。この弾性体１３は上記切欠２６よりやや下方において袋３の前後シート部１６，１７の表面に貼着される。弾性体１３は、接着剤、粘着剤、ヒートシール、超音波接着等適宜の貼着手段によって袋３に取り付けることが可能である。
【００４５】
なお、弾性体１３は、図５に示すシート段階で貼着してもよいし、図４に示す袋３として組み立てられた段階で貼着してもよい。
【００４６】
次に、上記構成の袋内包容器の作用について説明する。
【００４７】
（１）コーヒーあるいは砂糖などの調味料Ａが収納された袋３は、当初図４に示すような状態にある。
【００４８】
（２）袋内のコーヒーあるいは砂糖などの調味料Ａを使用するに際し、図４に示す天辺ｄのヒートシール部２５を、袋３を横断する方向に引き裂いて除去し、袋３を開封する。より詳しくは、図４に示す切欠２６近傍でヒートシール部２５に指を掛けて他端側へ引っ張ると、ヒートシール部２５が帯状に破断する。これにより、袋３の上端に開封口が形成される。
【００４９】
この場合、袋３はガセットシート部１８が拡開状態にあることから、幅広の底面を有することになり、机等の平坦面上で倒れることなく自立可能である。
【００５０】
（３）この開封した袋３はその前後シート部１６，１７等が柔軟であることから、その開封口も柔軟であるが、開封口は弾性体１３によって腰を与えられている。そのため、袋３を容器本体１内に挿入すると、図６に示すように、袋３の開封口が容器本体１内で適度に拡開し、使用者が指で保持せずとも開封口の縁はその全周が容器本体１の開口部に合致するように保持される。
【００５１】
（４）そこで、図７に示すように、開閉蓋付き蓋体２を容器本体１の開口部にあてがうと、押圧部９が袋３の開封口から袋３内へと容易に入り込む。
【００５２】
図３に示すように、押圧部９が袋３内に入り切ると、この押圧部９の凸状湾曲面９ａによって、袋３の開封口の全周縁は容器本体１の開口部の内面に押しやられて押圧され、容器本体１の内面の定位置に固定される。
【００５３】
また、同時に開閉蓋付き蓋体２と容器本体１の嵌合突起５，６同士が嵌合することで、開閉蓋付き蓋体２が容器本体１の開口部に固定される。この時点でこの袋内包容器は図１に示すような外観となって現れる。
【００５４】
このように、袋３の開封口はその全周縁が速やかに容器本体１の開口部の内面に接することとなり、袋３を開封して容器本体１内に装着する際の操作を極めて簡易かつ迅速に行うことができる。
【００５５】
（５）袋３の中身のコーヒーあるいは砂糖などの調味料Ａを取り出すには、次のような操作をすればよい。
【００５６】
図８に示すように、開閉蓋付き蓋体２における嵌合突起１０，１１同士の嵌合を解いて開閉蓋２ａを開け、スプーン１５を所定位置から外し、スプーン１５を押圧部９の底の開口から袋３内に挿入してコーヒーあるいは砂糖などの調味料Ａを掬い、摺り切り１４で余剰のコーヒーあるいは砂糖などの調味料Ａを除去し、蓋体２外へと取り出す。
【００５７】
その後、開閉蓋２ａを閉じて嵌合突起１０，１１同士を嵌合させることで、開閉蓋２ａによって再び袋内包容器内を密閉状態に保つことができる。
【００５８】
袋３内のコーヒーあるいは砂糖などの調味料Ａが消費されると、開閉蓋付き蓋体２を容器本体１から取り外し、空の袋３を容器本体１から抜き取り、新しい袋３を開封して上述したと同様な手順で容器本体１内に装着し、開閉蓋付き蓋体２の開閉蓋２ａを開けることで中味のコーヒーあるいは砂糖などの調味料Ａを取り出すことができる。
【００５９】
＜実施の形態２＞
この実施の形態２では、図９及び図１０に示すように、袋内包容器における容器本体１の開口部及び開閉蓋付き蓋体２が正六角形に形成される。もちろん、六角形に限らず四角形等他の多角形に形成してもよい。
【００６０】
容器本体１は、図示例では開口部のみ六角形に形成され、その下部から底に至る箇所がテーパ付き円筒形に形成される。しかし、開口部の下部から底に至る箇所もテーパ付き六角形に形成してもよい。また、容器本体１はテーパ無しであってもよい。
【００６１】
開閉蓋付き蓋体２の押圧部９における凸状湾曲面９ａは、開口部の六角形に対応する稜線を形成してもよい。
【００６２】
また、図１１に示すように、袋３に貼着される帯状の弾性体１４には、各々六角形の稜線の位置に対応して折れ線１３ａが刻設される。
【００６３】
コーヒーあるいは砂糖などの調味料Ａが収納された袋３は、当初図１１に示すような状態にある。
【００６４】
袋３内のコーヒーあるいは砂糖などの調味料Ａを使用するに際し、図１１に示す天辺ｄのヒートシール部２５を、袋３を横断する方向に引き裂いて除去し、袋３の上端に開封口を形成する。
【００６５】
そして、袋３の弾性体１３を折れ線１３ａ上で折って弾性体１３に折り癖を付けたうえで、容器本体１内に挿入する。
【００６６】
この開封した袋３はその前後シート部１６，１７等が柔軟であることから、その開封口も柔軟であるが、開封口は弾性体１３によって腰を与えられている。
【００６７】
これにより、袋３を容器本体１内に挿入すると、袋３の開封口が容器本体１内で六角形に拡開し、開封口の縁はその全周が容器本体１の六角形の開口部に合致するように保持される。
【００６８】
以後、実施の形態１の場合と同様にして開閉蓋付き蓋体２を容器本体１の開口部にあてがうことで、容器本体１と一体化することができる。そして、実施の形態１の場合と同様にして開閉蓋２ａを開けて中味のコーヒーあるいは砂糖などの調味料Ａを取り出すことができる。
【００６９】
なお、本発明は上記実施の形態に限定されるものではなく、本発明の要旨の範囲内で種々変更可能である。例えば、実施の形態では袋を自立性袋としたが、この袋は四方シール又は三方シールによる平パウチその他の袋であってもよい。また、パウチ形状は容器テーパに沿ったテーパ状であってもよい。
【符号の説明】
【００７０】
１…容器本体
２…開閉蓋付き蓋体
３…袋
９…押圧部
９ａ…凸状湾曲面
１３…弾性体
【図１】
2011105355.tif 000003
【図２】
2011105355.tif 000004
【図３】
2011105355.tif 000005
【図４】
2011105355.tif 000006
【図５】
2011105355.tif 000007
【図６】
2011105355.tif 000008
【図７】
2011105355.tif 000009
【図８】
2011105355.tif 000010
【図９】
2011105355.tif 000011
【図１０】
2011105355.tif 000012
【図１１】
2011105355.tif 000013